(57)【要約】【課題】下水処理施設の汚泥掻き寄せ機などに用いられる、樹脂製で一体成形されるリンク本体を連ねて構成されるチェンにおいて、リンク本体の窪み部に水が溜まり、その窪み部に溜まった水が汚泥掻き寄せ機が稼働しない期間の間に蒸発し、空気中で窪み部に溜まった水が有していた酸性物質が濃縮され強酸化し、樹脂製であるリンク本体を侵食し破断することを防止すること。【解決手段】リンク本体の窪み部に水抜き孔又は切欠きを設け、リンク本体の窪み部に水が溜まらないようにすることにより、空気中で窪み部に溜まった水が有していた酸性物質が濃縮され強酸化し、樹脂製であるリンク本体を侵食し破断することを防いだ。【選択図】図１
2015087009.tif 000002
【特許請求の範囲】
【請求項１】
樹脂製で一体成形されるリンク本体を連ねて構成されるチェンにおいて、前記リンク本体の窪み部に水抜き孔又は切欠きを設けたことを特徴とするチェン。
【請求項２】
前記水抜き孔又は前記切欠きが前記窪み部の底部の前記リンク本体の長さ方向の両端に設けられたことを特徴とする、請求項１記載のチェン。
【請求項３】
前記水抜き孔が前記窪み部の底部に網羅的に設けられたことを特徴とする、請求項１記載のチェン。
【請求項４】
前記水抜き孔が前記窪み部の底部のほぼ全体に設けられたことを特徴とする、請求項１記載のチェン。
【発明の詳細な説明】
【技術分野】
【０００１】
本発明は、下水処理施設の汚泥掻き寄せ機などに用いられる、樹脂製のチェンに関するものである。
【背景技術】
【０００２】
汚泥掻き寄せ機は、下水処理施設の沈澱池において、チェンのアタッチメントに取り付けられるフライト（汚泥掻き寄せ板）を、チェンを駆動することにより動かし、汚泥を掻き寄せるものである。
【０００３】
チェンは、リンク本体を相当数連結ピンで連結し、つなぎ合わせて組み立てられる。外側に配置されるリンクプレートと内側に配置されるリンクプレートを別部材で構成して組み立てる形式のチェンもあるが、本発明は、樹脂製の同一形状のリンクをつなぎ合わせるタイプのチェンについてのものである。
【０００４】
リンク本体１８０は、図６に示すようなものである。リンク本体１８０は、その長さ方向一方の端部に、ピン挿入孔１８６を有するバレル部１８２があり、他方の端部には、ピン挿入孔１８８を有する一対のピンリンク部１８４がある。バレル部１８２の幅は、一対のピンリンク部１８４の間の空隙と略同一に構成される。リンク本体１８０がこのように構成されることにより、リンク本体１８０のバレル部１８２を他のリンク本体１８０の一対のピンリンク部１８４間の空隙に挟み連結ピンで連結することが可能となる。
また、リンク本体１８０は、図６（ｂ）に示すように、スプロケットに係合する部位である、ノッチ部１９０を有する。
そして、また、リンク本体１８０は、アタッチメントを取り付けるアタッチメント取付用孔１９２を有し、リンク本体１８０の上面（図６（ａ）が表す面）のアタッチメント取付用孔１９２のリンク本体１８０の幅方向の両側には、樹脂成形の成形上、窪み部１９４が設けられている。
【０００５】
以上のような、リンク本体１８０を相当数連結することにより、汚泥掻き寄せ機に用いられるチェンは構成されていた。
【発明の概要】
【発明が解決しようとする課題】
【０００６】
汚泥掻き寄せ機は、頻繁に運転する必要がないため、場合によっては数週間稼働させないことがある。
【０００７】
従来のチェンは、リンク本体が水面上に来た時に上向きになる窪み部を有するため、汚泥掻き寄せ機を稼働させてない時は、その窪み部に水が溜まったまま空気中にさらされることとなっていた。
そして、その窪み部に溜まった水が汚泥掻き寄せ機が稼働しない期間の間に蒸発し、窪み部に溜まった水が有していた酸性物質が濃縮され強酸化し、樹脂製であるリンク本体を侵食し破断することが多々あった。
【０００８】
そこで、本発明は、上記の問題点に鑑みて、リンク本体の窪み部に水が溜まることを防止し、酸性物質によるリンク本体の侵食、破断を防止することを課題とするものである。
【課題を解決するための手段】
【０００９】
本発明は上記課題を解決するためになされたものであり、樹脂製で一体成形されるリンク本体を連ねて構成されるチェンにおいて、前記リンク本体の窪み部に水抜き孔又は切欠きを設けたことを特徴とするものである。
【００１０】
また、前記水抜き孔又は前記切欠きが前記窪み部の底部又は側面下方の前記リンク本体の長さ方向の両端に設けられたことを特徴とするものである。
【００１１】
また、前記水抜き孔が前記窪み部の底部に網羅的に設けられたことを特徴とするものである。
【００１２】
また、前記水抜き孔が前記窪み部の底部の略全体に設けられたことを特徴とするものである。
【発明の効果】
【００１３】
このような本発明によれば、樹脂製で一体成形されるリンク本体を連ねて構成されるチェンにおいて、前記リンク本体の窪み部に水抜き孔又は切欠きを設けたことにより、リンク本体の窪み部に水が溜まることを防止し、酸性物質によるリンク本体の侵食、破断を防止することができる。
【図面の簡単な説明】
【００１４】
【図１】本発明の第一の実施の形態に係るチェンのリンク本体の全体図であり、（ａ）が正面図、（ｂ）が側面図である。
【図２】本発明の第二の実施の形態に係るチェンのリンク本体の全体図であり、（ａ）が正面図、（ｂ）が側面図である。
【図３】本発明の第三の実施の形態に係るチェンのリンク本体の全体図であり、（ａ）が正面図、（ｂ）が側面図である。
【図４】本発明の第四の実施の形態に係るチェンのリンク本体の全体図であり、（ａ）が正面図、（ｂ）が側面図である。
【図５】本発明の第五の実施の形態に係るチェンのリンク本体の全体図であり、（ａ）が正面図、（ｂ）が側面図である。
【図６】従来のチェンのリンク本体の全体図であり、（ａ）が正面図、（ｂ）が側面図である。
【発明を実施するための最良の形態】
【００１５】
以下、本発明を実施するための最良の形態について、図面に基づいて具体的に説明する。チェン本体の形状のうち、従来のチェン本体とほとんど変わらない部分は説明を省略する。
【００１６】
図１は、本発明の第一の実施の形態に係るリンク本体１０の全体図である。
【００１７】
本発明の第一の実施の形態に係るリンク本体１０では、窪み部２４の底部のリンク本体１０の長さ方向の両端に、水抜き孔２６と２８が設けられる。
【００１８】
水抜き孔２６と２８が設けられることにより、リンク本体１０が水面上に来て窪み部２４が空気中で上向きになった時も、水抜き孔２６と２８から水が抜け、窪み部２４に水が溜まらないため、リンク本体１０の窪み部２４に水が溜まることを防止し、酸性物質によるリンク本体１０の侵食、破断を防止することができる。
【００１９】
図２は、本発明の第二の実施の形態に係るリンク本体３０の全体図である。
【００２０】
本発明の第二の実施の形態に係るリンク本体３０では、窪み部４４の底部全体に、水抜き孔４６が網羅的に設けられている。
【００２１】
水抜き孔４６が窪み部４４の底部全体に網羅的に設けられることにより、リンク本体３０が水面上に出て窪み部４４が空気中で上向きになった時も、窪み部４４の底部全体に網羅的に設けられた水抜き孔４６から水が抜け、窪み部４４に水が溜まらないため、リンク本体３０の窪み部４４に水が溜まることを防止し、酸性物質によるリンク本体３０の侵食、破断を防止することができる。
【００２２】
図３は、本発明の第三の実施の形態に係るリンク本体６０の全体図である。
【００２３】
本発明の第三の実施の形態に係るリンク本体６０では、窪み部７４の略全体が水抜き孔７６でくりぬかれている。
【００２４】
これにより、本実施の形態では、窪み部７４の底部に水が溜まらないため、リンク本体６０の窪み部７４に水が溜まることを防止し、酸性物質によるリンク本体の侵食、破断を防止することができる。
【００２５】
図４は、本発明の第四の実施の形態に係るリンク本体８０の全体図である。
【００２６】
本発明の第四の実施の形態に係るリンク本体８０では、窪み部の側面下方に水抜き孔９６が設けられる。
【００２７】
水抜き孔９６が窪み部９４の側面下方に設けられることにより、リンク本体８０が水面上に出て窪み部９４が空気中で上向きになった時も、窪み部９４の側面下方に設けられた水抜き孔９６から水が抜け、窪み部９４に水が溜まらないため、リンク本体８０の窪み部９４に水が溜まることを防止し、酸性物質によるリンク本体８０の侵食、破断を防止することができる。
【００２８】
図５は、本発明の第五の実施の形態に係るリンク本体１００の全体図である。
【００２９】
本発明の第五の実施の形態に係るリンク本体１００では、窪み部の側面に切欠き１１６が設けられる。
【００３０】
切欠き１１６が窪み部１１４の側面に設けられることにより、リンク本体１００が水面上に出て窪み部１１４が空気中で上向きになった時も、窪み部１１４の側面に設けられた切欠き１１６から水が抜け、窪み部１１４に水が溜まらないため、リンク本体１００の窪み部１１４に水が溜まることを防止し、酸性物質によるリンク本体１００の侵食、破断を防止することができる。
【００３１】
以上、本発明の実施の形態を説明したが、本発明の技術的範囲は、前述した実施の形態に左右されない。当業者であれば、特許請求の範囲に記載された技術的思想の範疇内において各種の変更例または修正例に想到しうることは明らかであり、それらについても当然に本発明の技術的範囲に属するものと了解される。
【００３２】
例えば、水抜き孔は、水が抜ける空隙を有するものであればよく、長孔および溝状の孔も含まれるのは言うまでもない。水抜き孔が底部から側面にかけて設けられるものも当然に含む。また、切欠きは、側面にとどまることなく底部にまで及ぶものも当然に含まれる。
【符号の説明】
【００３３】
１０  リンク本体
１２  バレル部
１４  ピンリンク部
１６  ピン挿入孔
１８  ピン挿入孔
２０  ノッチ部
２２  アタッチメント取付用孔
２４  窪み部
２６  水抜き孔
２８  水抜き孔
３０  リンク本体
３２  バレル部
３４  ピンリンク部
３６  ピン挿入孔
３８  ピン挿入孔
４０  ノッチ部
４２  アタッチメント取付用孔
４４  窪み部
４６  水抜き孔
６０  リンク本体
６２  バレル部
６４  ピンリンク部
６６  ピン挿入孔
６８  ピン挿入孔
７０  ノッチ部
７２  アタッチメント取付用孔
７４  窪み部
７６  水抜き孔
８０  リンク本体
８２  バレル部
８４  ピンリンク部
８６  ピン挿入孔
８８  ピン挿入孔
９０  ノッチ部
９２  アタッチメント取付用孔
９４  窪み部
９６  水抜き孔
１００  リンク本体
１０２  バレル部
１０４  ピンリンク部
１０６  ピン挿入孔
１０８  ピン挿入孔
１１０  ノッチ部
１１２  アタッチメント取付用孔
１１４  窪み部
１１６  切欠き
１８０  リンク本体
１８２  バレル部
１８４  ピンリンク部
１８６  ピン挿入孔
１８８  ピン挿入孔
１９０  ノッチ部
１９２  アタッチメント取付用孔
１９４  窪み部
【図１】
2015087009.tif 000003
【図２】
2015087009.tif 000004
【図３】
2015087009.tif 000005
【図４】
2015087009.tif 000006
【図５】
2015087009.tif 000007
【図６】
2015087009.tif 000008